(57)【要約】      （修正有）【課題】液体の残量を視認できる液体収容容器及びこれを備える記録装置を提供する。【解決手段】液体収容容器２２は、液体を収容可能な容器本体４１と、容器本体に液体を注入可能な注入部４２と、を備え、容器本体は、媒体に液体を吐出して画像を記録する記録ヘッドを搭載するキャリッジに装着可能に構成され、容器本体の少なくとも一部分は、収容する液体の残量を視認可能な透明度を有する透明材料で形成される。【選択図】図２
2019142116.tif 000002
【特許請求の範囲】
【請求項１】
液体を収容可能な容器本体と、
前記容器本体に液体を注入可能な注入部と、を備え、
前記容器本体は、媒体に液体を吐出して画像を記録する記録ヘッドを搭載するキャリッジに装着可能に構成され、
前記容器本体の少なくとも一部分は、収容する液体の残量を視認可能な透明度を有する透明材料で形成されることを特徴とする液体収容容器。
【請求項２】
前記容器本体は、複数の面で構成され、前記容器本体が前記キャリッジに装着された状態において、下方から上方にかけて前記容器本体の内部に向かうように傾斜する傾斜面を有し、
前記傾斜面の少なくとも一部分は、前記透明材料で形成されることを特徴とする請求項１に記載の液体収容容器。
【請求項３】
前記容器本体は、複数の面で構成され、前記容器本体が前記キャリッジに装着された状態において下方から上方に向けて階段状をなす段差面を有し、
前記段差面の少なくとも一部分は、前記透明材料で形成されることを特徴とする請求項１に記載の液体収容容器。
【請求項４】
前記容器本体は、前記容器本体を構成する複数の面のうち少なくとも１つの面に前記透明材料で形成された視認部を有し、
前記容器本体内には、前記容器本体が前記キャリッジに装着された状態において上下に延びる柱が設けられ、
前記柱は、前記視認部を介して視認可能な位置に位置することを特徴とする請求項１から請求項３のうち何れか一項に記載の液体収容容器。
【請求項５】
前記容器本体は、前記容器本体を構成する複数の面のうち少なくとも１つの面に前記透明材料で形成された視認部を有し、
前記容器本体内には、前記容器本体が前記キャリッジに装着された状態において上下に延びる仕切板が設けられ、
前記仕切板は、前記視認部を介して視認可能な位置に位置することを特徴とする請求項１から請求項３のうち何れか一項に記載の液体収容容器。
【請求項６】
前記容器本体内において、前記視認部が設けられる面と前記仕切板との距離は、前記視認部が設けられる面とは反対側の面と前記仕切板との距離よりも短いことを特徴とする請求項５に記載の液体収容容器。
【請求項７】
請求項１から請求項６のうち何れか一項に記載の液体収容容器と、
前記記録ヘッドと、
前記キャリッジと、
前記キャリッジを収容する筐体と、を備え、
前記筐体は、前記筐体内に位置する前記液体収容容器を視認可能な開口を有することを特徴とする記録装置。
【発明の詳細な説明】
【技術分野】
【０００１】
本発明は、液体を収容可能な液体収容容器及びこれを備える記録装置に関する。
【背景技術】
【０００２】
記録装置の一例として、特許文献１には、液体を媒体に向けて吐出することによって文字、写真等の画像を媒体に記録する記録ヘッドと、記録ヘッドに供給する液体を収容可能な液体収容容器であるインクタンクと、記録ヘッド及びインクタンクを搭載するキャリッジとを備えるプリンターが記載されている。このインクタンクは、インクを注入可能に構成される。
【先行技術文献】
【特許文献】
【０００３】
【特許文献１】特開平８−１５０７２８号公報
【発明の概要】
【発明が解決しようとする課題】
【０００４】
こうした記録装置においては、液体収容容器に液体を注入するために、液体収容容器が収容する液体の残量を視認できることが好ましい。
本発明の目的は、液体の残量を視認できる液体収容容器及びこれを備える記録装置を提供することにある。
【課題を解決するための手段】
【０００５】
以下、上記課題を解決するための手段及びその作用効果について記載する。
上記課題を解決する液体収容容器は、液体を収容可能な容器本体と、前記容器本体に液体を注入可能な注入部と、を備え、前記容器本体は、媒体に液体を吐出して画像を記録する記録ヘッドを搭載するキャリッジに装着可能に構成され、前記容器本体の少なくとも一部分は、収容する液体の残量を視認可能な透明度を有する透明材料で形成される。
【０００６】
この構成によれば、容器本体において透明材料で形成された部分を介して、容器本体に収容される液体の残量を視認できる。
上記液体収容容器において、前記容器本体は、複数の面で構成され、前記容器本体が前記キャリッジに装着された状態において、下方から上方にかけて前記容器本体の内部に向かうように傾斜する傾斜面を有し、前記傾斜面の少なくとも一部分は、前記透明材料で形成されることが好ましい。
【０００７】
傾斜面は、下方から上方にかけて容器本体の内部に向かうように傾斜する。そのため、容器本体において、傾斜面は上方を向く。傾斜面が上方を向くことにより、容器本体を上方から見る場合に傾斜面を視認できる。傾斜面が透明材料で形成されるため、容器本体が収容する液体の液面位置を上方から傾斜面を介して視認できる。液体の液面位置を見ることにより、液体の残量を視認できる。このように、上記構成によれば、容器本体に収容される液体の残量を容器本体の上方から視認し易くできる。
【０００８】
上記液体収容容器において、前記容器本体は、複数の面で構成され、前記容器本体が前記キャリッジに装着された状態において下方から上方に向けて階段状をなす段差面を有し、前記段差面の少なくとも一部分は、前記透明材料で形成されることが好ましい。
【０００９】
段差面が下方から上方にかけて階段状をなすため、上方から容器本体を見る場合に段差面を視認できる。段差面が透明材料で形成されることにより、容器本体が収容する液体の液他面の位置を上方から段差面を介して視認できる。上記構成によれば、容器本体に収容される液体の残量を視認し易くできる。
【００１０】
上記液体収容容器において、前記容器本体は、前記容器本体を構成する複数の面のうち少なくとも１つの面に前記透明材料で形成された視認部を有し、前記容器本体内には、前記容器本体が前記キャリッジに装着された状態において上下に延びる柱が設けられ、前記柱は、前記視認部を介して視認可能な位置に位置することが好ましい。
【００１１】
この構成によれば、視認部を介して容器本体内を見ると、容器本体が収容する液体の液面から突出する柱の突出量を視認できる。柱の突出量が大きい場合、液体の残量が少ないことを視認できる。柱の突出量が小さい場合、液体の残量が多いことを視認できる。このように、柱を設けることによって、液体の残量を視認し易くできる。
【００１２】
上記液体収容容器において、前記容器本体は、前記容器本体を構成する複数の面のうち少なくとも１つの面に前記透明材料で形成された視認部を有し、前記容器本体内には、前記容器本体が前記キャリッジに装着された状態において上下に延びる仕切板が設けられ、前記仕切板は、前記視認部を介して視認可能な位置に位置することが好ましい。
【００１３】
この構成によれば、視認部を介して容器本体内を見ると、容器本体が収容する液体の液面から突出する仕切板の突出量を視認できる。仕切板の突出量が大きい場合、液体の残量が少ないことを視認できる。仕切板の突出量が小さい場合、液体の残量が多いことを視認できる。このように、仕切板を設けることによって、液体の残量を視認し易くできる。
【００１４】
上記液体収容容器において、前記容器本体内において、前記視認部が設けられる面と前記仕切板との距離は、前記視認部が設けられる面とは反対側の面と前記仕切板との距離よりも短いことが好ましい。
【００１５】
容器本体が収容する液体の残量を確認する際、視認部から入射した光が容器本体内において反射することにより、容器本体が収容する液体の残量を視認できる。一般的に、光の強度は、光源からの距離が長くなるほど小さくなる。そのため、容器本体において視認部から入射した光が反射するまでの距離が短いほど、液体の残量を視認し易くなる。上記構成によれば、容器本体内において、仕切板は、視認部が設けられる面寄りに配置される。そのため、仕切板は、視認部寄りとなる位置で、視認部から入射する光を反射する。これにより、液体の残量を視認し易くできる。
【００１６】
上記課題を解決する記録装置は、上記構成の液体収容容器と、前記記録ヘッドと、前記キャリッジと、前記キャリッジを収容する筐体と、を備え、前記筐体は、前記筐体内に位置する前記液体収容容器を視認可能な開口を有する。
【００１７】
この構成によれば、筐体の開口を介して液体収容容器が収容する液体の残量を筐体外から視認できる。
【図面の簡単な説明】
【００１８】
【図１】液体収容容器を備える記録装置の一実施形態を示す斜視図。
【図２】第１実施形態における液体収容容器の斜視図。
【図３】図２とは異なる方向から見た液体収容容器の斜視図。
【図４】液体収容容器の正面図。
【図５】液体収容容器の背面図。
【図６】液体収容容器の平面図。
【図７】液体収容容器の底面図。
【図８】液体収容容器の右側面図。
【図９】液体収容容器の左側面図。
【図１０】第２実施形態における液体収容容器の斜視図。
【図１１】図１０とは異なる方向から見た液体収容容器の斜視図。
【図１２】液体収容容器の正面図。
【図１３】液体収容容器の背面図。
【図１４】液体収容容器の平面図。
【図１５】液体収容容器の右側面図。
【図１６】液体収容容器の左側面図。
【図１７】第３実施形態における液体収容容器の斜視図。
【図１８】図１７とは異なる方向から見た液体収容容器の斜視図。
【図１９】液体収容容器の正面図。
【図２０】液体収容容器の平面図。
【図２１】液体収容容器の右側面図。
【図２２】液体収容容器の左側面図。
【図２３】第４実施形態における液体収容容器の斜視図。
【図２４】図２３とは異なる方向から見た液体収容容器の斜視図。
【図２５】図２３及び図２４とは異なる方向から見た液体収容容器の斜視図。
【図２６】液体収容容器の正面図。
【図２７】液体収容容器の平面図。
【図２８】液体収容容器の底面図。
【図２９】第５実施形態における液体収容容器の斜視図。
【図３０】図２９とは異なる方向から見た液体収容容器の斜視図。
【図３１】液体収容容器の正面図。
【図３２】液体収容容器の平面図。
【図３３】第６実施形態における液体収容容器の斜視図。
【図３４】図３３とは異なる方向から見た液体収容容器の斜視図。
【図３５】液体収容容器の正面図。
【図３６】液体収容容器の左側面図。
【図３７】図３５におけるＡ−Ａ線矢視端面図。
【図３８】図３５におけるＢ−Ｂ線矢視端面図。
【図３９】第７実施形態における液体収容容器の斜視図。
【図４０】図３９とは異なる方向から見た液体収容容器の斜視図。
【図４１】液体収容容器の正面図。
【図４２】第８実施形態における液体収容容器の斜視図。
【図４３】図４２とは異なる方向から見た液体収容容器の斜視図。
【図４４】液体収容容器の正面図。
【図４５】液体収容容器の左側面図。
【図４６】図４４におけるＥ−Ｅ線矢視端面図。
【図４７】第９実施形態における液体収容容器の斜視図。
【図４８】図４７とは異なる方向から見た液体収容容器の斜視図。
【図４９】液体収容容器の正面図。
【図５０】液体収容容器の左側面図。
【図５１】第１０実施形態における液体収容容器の斜視図。
【図５２】液体収容容器の正面図。
【図５３】第１１実施形態における液体収容容器の斜視図。
【図５４】液体収容容器の正面図。
【図５５】第１２実施形態における液体収容容器の斜視図。
【図５６】液体収容容器の正面図。
【図５７】液体収容容器の背面図。
【図５８】液体収容容器の平面図。
【図５９】液体収容容器の底面図。
【図６０】液体収容容器の右側面図。
【発明を実施するための形態】
【００１９】
以下、液体収容容器及びこれを備える記録装置の一実施形態について図を参照しながら説明する。記録装置は、例えば、用紙等の媒体に液体の一例であるインクを噴射することによって、文字、写真等の画像を記録するインクジェット式のプリンターである。液体収容容器は、例えば、インクを収容可能なタンクである。
【００２０】
（第１実施形態）
図１に示すように、記録装置１１は、筐体１２を備える。筐体１２は、直方体状に形成される。そのため、筐体１２は、前面１３、後面、上面１５、下面、右側面１７及び左側面の６つの面を有する。
【００２１】
記録装置１１は、媒体９９に液体を吐出して画像を記録する記録ヘッド２１と、記録ヘッド２１に供給する液体を収容可能な液体収容容器２２と、記録ヘッド２１及び液体収容容器２２を搭載するキャリッジ２３とを備える。キャリッジ２３は筐体１２に収容される。そのため、記録ヘッド２１及び液体収容容器２２は筐体１２に収容される。
【００２２】
筐体１２は、記録ヘッド２１によって液体を吐出された媒体９９が排出されるための排出口２４を有する。筐体１２において、排出口２４が設けられる面が前面１３である。画像を記録された媒体９９は、排出口２４を介して筐体１２内から筐体１２外に排出される。媒体９９は、例えば筐体１２の後面に開口する供給口を通じて筐体１２内に供給される。すなわち、第１実施形態の記録装置１１は、筐体１２内において、筐体１２の後面から前面１３に向けて媒体９９を搬送する。そのため、第１実施形態において、筐体１２の後面から前面１３に向かう方向が媒体９９の搬送方向である。
【００２３】
筐体１２は、その前面１３に、開閉可能な前面カバー２５を有する。前面カバー２５は、筐体１２の下面寄りとなる端部を軸に開閉可能である。図１における記録装置１１においては、前面カバー２５は閉じている。このときの前面カバー２５は、排出口２４を覆うとともに筐体１２の前面１３の少なくとも一部を構成する。前面カバー２５を開くと、筐体１２内が露出される。前面カバー２５を開くことにより、排出口２４から媒体９９が排出可能となる。
【００２４】
筐体１２は、その上面１５に、開閉可能な上面カバー２６を有する。上面カバー２６は、筐体１２の後面寄りとなる端部を軸に開閉可能である。図１における記録装置１１においては、上面カバー２６は閉じている。このときの上面カバー２６は、筐体１２の上面１５の少なくとも一部を構成する。上面カバー２６を開くと、筐体１２内が露出される。記録装置１１は、上面カバー２６を開くことにより露出する開口を通じて媒体９９を供給されてもよい。記録装置１１は、筐体１２に装着可能な媒体カセットから媒体９９を供給されてもよい。
【００２５】
第１実施形態において、筐体１２の前面１３から後面に向かう方向が筐体１２の奥行方向Ｙである。筐体１２の奥行方向Ｙは、媒体９９の搬送方向と反対方向となる。筐体１２の前面１３を正面に見たときに、右側に位置する側面が筐体１２の右側面１７であり、左側に位置する側面が筐体１２の左側面である。筐体１２の右側面１７から筐体１２の左側面に向かう方向が筐体１２の幅方向Ｘである。筐体１２の幅方向Ｘは、媒体９９の幅方向と一致する。記録装置１１は、通常、水平面上に配置された状態で使用される。このとき、筐体１２の上面１５から下面に向かう方向が鉛直方向Ｚとなる。
【００２６】
キャリッジ２３は、筐体１２内において幅方向Ｘに往復移動可能に設けられる。記録ヘッド２１は、キャリッジ２３とともに移動しながら液体を媒体９９に吐出することによって、媒体９９に画像を記録する。キャリッジ２３は、例えば記録ヘッド２１が記録を実行しない場合に、ホームポジションにおいて待機する。第１実施形態において、キャリッジ２３のホームポジションは、幅方向Ｘにおいて筐体１２の右側面１７寄りとなる位置である。図１におけるキャリッジ２３はホームポジションに位置する。キャリッジ２３は、記録ヘッド２１が媒体９９に液体を吐出しない場合、すなわち記録装置１１が待機状態である場合に、ホームポジションにおいて静止する。キャリッジ２３のホームポジションは、幅方向Ｘにおいて筐体１２の左側面寄りとなる位置とされてもよい。
【００２７】
筐体１２は、筐体１２内に位置する液体収容容器２２を視認可能な開口３０を有する。記録装置１１は、開口３０を介して、筐体１２外から筐体１２内を視認可能とされる。開口３０は、筐体１２を構成する複数の面のうち少なくとも１つの面に形成される。開口３０は、筐体１２の前面１３、上面１５、右側面１７及び左側面のうち少なくとも１つの面に形成されることが好ましい。第１実施形態において、開口３０は、筐体１２の前面１３及び上面１５の２つの面にそれぞれ形成される。そのため、第１実施形態においては、筐体１２の前面１３に設けられる開口３０を第１開口３１、筐体１２の上面１５に設けられる開口３０を第２開口３２と称する。第２開口３２は上面カバー２６に形成される。
【００２８】
開口３０は、筐体１２において、記録ヘッド２１が記録を実行しない場合にキャリッジ２３が待機する位置であるホームポジションと対応する位置に形成される。すなわち、開口３０は、幅方向Ｘにおいて筐体１２の右側面１７寄りとなる位置に形成される。これにより、記録装置１１が待機状態である場合に、開口３０を介して液体収容容器２２を視認し易い。
【００２９】
第１開口３１は、筐体１２の前面１３において、上面１５寄り且つ右側面１７寄りとなる位置に形成される。第１開口３１は、前面１３を正面に見た場合に、前面１３において右上に位置する隅部分に形成される。第２開口３２は、筐体１２の上面１５において、前面１３寄り且つ右側面１７寄りとなる位置に形成される。第２開口３２は、上面１５を正面に見た場合に、上面１５において右下に位置する隅部分に形成される。
【００３０】
開口３０は、筐体１２の前面１３、上面１５に限らず、筐体１２の後面、側面などに形成されてもよい。筐体１２の側面に開口３０が設けられる場合、その開口３０を第３開口３３と称する。ホームポジションが右側面１７寄りに位置する場合、第３開口３３は、右側面１７及び左側面の２つの側面のうち、右側面１７に設けられることが好ましい。ホームポジションが左側面寄りに位置する場合、第３開口３３は、左側面に設けられることが好ましい。
【００３１】
第３開口３３は、筐体１２の右側面１７において、例えば図１において２点鎖線で示す位置に形成される。第３開口３３は、右側面１７において、前面１３寄り且つ上面１５寄りとなる位置に形成される。第３開口３３は、右側面１７を正面に見た場合に、右側面１７において左上に位置する隅部分に形成される。第３開口３３が設けられる場合、第１開口３１、第２開口３２及び第３開口３３は、前面１３、上面１５及び右側面１７によって形成される筐体１２の角部分の周辺に位置する。
【００３２】
開口３０には、透明部材３５が取り付けられる。透明部材３５は、筐体１２外から筐体１２内を視認可能な程度の透明度を有する透明材料で形成される。透明部材３５は、例えばプラスチック、ガラス、セラミックなどで形成される板状の部材である。開口３０及び透明部材３５は、液体収容容器２２が収容する液体の残量を視認するための窓として機能する。開口３０に透明部材３５を取り付けることにより、筐体１２外の塵埃が開口３０を介して筐体１２内に進入する虞を低減できる。第１実施形態において、透明部材３５は、第１開口３１、第２開口３２のそれぞれに取り付けられる。第３開口３３が設けられる場合は、第３開口３３にも透明部材３５が取り付けられる。
【００３３】
透明部材３５は、開口３０に対して着脱可能であることが好ましい。こうすると、例えば記録ヘッド２１が吐出する液体の飛沫によって透明部材３５が汚れた場合に、透明部材３５を容易に清掃できる。
【００３４】
図２、図３、図４、図５、図６、図７、図８及び図９に示すように、液体収容容器２２は、液体を収容可能な容器本体４１と、容器本体４１に液体を注入可能な注入部４２とを備える。容器本体４１は、キャリッジ２３に装着可能に構成される。容器本体４１をキャリッジ２３に装着することによって、容器本体４１が収容する液体を記録ヘッド２１に供給可能となる。
【００３５】
容器本体４１は複数の面で構成される。第１実施形態における容器本体４１は、前面４３、後面４４、上面４５、下面４６、右側面４７及び左側面４８の６つの面を有する。容器本体４１は、容器本体４１内を露出可能な開口４８ａを有する。第１実施形態の容器本体４１において、幅方向Ｘにおいて右側面４７と反対側に位置する部分、すなわち左側面４８側に開口４８ａが形成される。
【００３６】
開口４８ａには、図３及び図９において２点鎖線で示すように、容器本体４１内を封止する封止部材４９が取り付けられる。そのため、容器本体４１が開口４８ａを有する場合は、封止部材４９が容器本体４１の一面を構成する。第１実施形態において、封止部材４９は、容器本体４１の左側面４８を構成する。
【００３７】
封止部材４９は、例えばフィルム、シート、プレートなどで構成され、開口４８ａに溶着される。封止部材４９は、開口４８ａに対して例えば熱溶着される。容器本体４１は、開口４８ａに封止部材４９が取り付けられることにより、液体を収容可能となる。開口４８ａは、容器本体４１においてその上面４５側、右側面４７側など、その他の位置に形成されてもよい。容器本体４１は開口４８ａを有していなくともよい。例えば、容器本体４１は、封止部材４９を有することなく液体を収容可能に形成されてもよい。容器本体４１の前面４３、後面４４、上面４５、下面４６、右側面４７及び左側面４８は一体的に形成されてもよい。
【００３８】
図２に示す液体収容容器２２の斜視図は、容器本体４１の前面４３、上面４５及び右側面４７を示す図である。図３に示す液体収容容器２２の斜視図は、容器本体４１の後面４４、下面４６及び左側面４８を示す図である。図４に示す液体収容容器２２の正面図は、容器本体４１の前面４３を示す図である。図５に示す液体収容容器２２の背面図は、容器本体４１の後面４４を示す図である。図６に示す液体収容容器２２の平面図は、容器本体４１の上面４５を示す図である。図７に示す液体収容容器２２の底面図は、容器本体４１の下面４６を示す図である。図８に示す液体収容容器２２の右側面図は、容器本体４１の右側面４７を示す図である。図９に示す液体収容容器２２の左側面図は、容器本体４１の左側面４８を示す図である。
【００３９】
容器本体４１の前面４３、後面４４、上面４５、下面４６、右側面４７及び左側面４８は、それぞれ筐体１２の前面１３、後面、上面１５、下面、右側面１７及び左側面に対応する面である。容器本体４１がキャリッジ２３に装着された状態において、容器本体４１の前面４３は筐体１２の前方を向く面である。容器本体４１の後面４４は筐体１２の後方を向く面である。容器本体４１の上面４５は筐体１２の上方を向く面である。容器本体４１の下面４６は筐体１２の下方を向く面である。容器本体４１の右側面４７は筐体１２の右側方を向く面である。容器本体４１の左側面４８は筐体１２の左側方を向く面である。
【００４０】
第１実施形態において、容器本体４１の前面４３及び後面４４は、筐体１２の前面１３及び後面と同様に、幅方向Ｘ及び鉛直方向Ｚに広がりを有する面である。容器本体４１の上面４５及び下面４６は、筐体１２の上面１５及び下面と同様に、幅方向Ｘ及び奥行方向Ｙに広がりを有する面である。容器本体４１の右側面４７及び左側面４８は、筐体１２の右側面１７及び左側面と同様に、奥行方向Ｙ及び鉛直方向Ｚに広がりを有する面である。
【００４１】
注入部４２は、筒状に設けられ、容器本体４１の上面４５から上方に向けて延びる。注入部４２は、上面４５において、前面４３寄り且つ右側面４７寄りとなる位置に設けられる。液体収容容器２２は、液体を貯留する補充容器から注入部４２を介して液体を補充される。補充容器は例えばボトルである。上面カバー２６を開くと、液体収容容器２２の注入部４２が露出する。液体収容容器２２は、キャリッジ２３に搭載された状態で液体を補充可能とされる。注入部４２は、キャリッジ２３がホームポジションに位置する場合に、第２開口３２から露出するように位置してもよい。こうすると、上面カバー２６を開くことなく、第２開口３２を介して注入部４２から液体を注入できる。
【００４２】
容器本体４１の上面４５には、容器本体４１内に向けて下方に凹む凹部４５ａが形成される。凹部４５ａは、上面４５において、前面４３寄りとなるその縁から、奥行方向Ｙにおいて中央よりも後面４４寄りとなる位置に亘って形成される。凹部４５ａは、上面４５において、右側面４７寄りとなる位置に形成される。注入部４２は、凹部４５ａから上方に向けて延びる。
【００４３】
容器本体４１の少なくとも一部分は、収容する液体の残量を視認可能な透明度を有する透明材料で形成される。この透明材料は、透明部材３５を形成する材料と同一の材料でもよいし、異なる材料でもよい。容器本体４１において透明材料で形成された部分を介して、容器本体４１が収容する液体の残量を視認できる。容器本体４１において透明材料で形成された部分は、容器本体４１が収容する液体の残量を視認可能な視認部５０となる。
【００４４】
視認部５０は、例えばプラスチック、ガラス、セラミックなどの透明材料で形成される。筐体１２の開口３０を介して容器本体４１の視認部５０を見ることにより、容器本体４１が収容する液体の残量を筐体１２外から視認できる。特に、記録装置１１が待機状態である場合、キャリッジ２３がホームポジションに位置する場合に、開口３０及び視認部５０を介して容器本体４１が収容する液体の残量を視認し易い。
【００４５】
開口３０は、筐体１２外から筐体１２内に光を取り入れるための開口としても機能する。開口３０を介して筐体１２外から筐体１２内に光が入射すると、筐体１２内が照らされる。これにより、容器本体４１が収容する液体の残量を視認し易くなる。特に、開口３０を介して取り入れられる光が容器本体４１内に入射すると、容器本体４１が収容する液体の残量を一層視認し易くなる。
【００４６】
視認部５０は、容器本体４１において少なくとも１つの面に形成される。第１実施形態において、視認部５０は、容器本体４１の前面４３及び上面４５の２つの面にそれぞれ形成される。そのため、第１実施形態においては、容器本体４１の前面４３に設けられる視認部５０を第１視認部５１、容器本体４１の上面４５に設けられる視認部５０を第２視認部５２と称する。
【００４７】
第１視認部５１は、容器本体４１の前面４３において、下面４６寄り且つ左側面４８寄りとなる位置に形成される。第２視認部５２は、容器本体４１の上面４５において、前面４３寄り且つ左側面４８寄りとなる位置に形成される。第２視認部５２は、上面４５において、凹部４５ａと隣り合う位置に形成される。視認部５０は、後面４４、右側面４７などに設けられてもよい。
【００４８】
視認部５０は、容器本体４１において、開口３０が設けられる筐体１２の面と対応する面に設けられることが好ましい。例えば、筐体１２がその前面１３に開口３０を有する場合、視認部５０は容器本体４１の前面４３に設けられることが好ましい。筐体１２がその上面１５に開口３０を有する場合、視認部５０は容器本体４１の上面４５に設けられることが好ましい。こうすると、開口３０及び視認部５０を介して、容器本体４１が収容する液体の残量を視認し易くなる。
【００４９】
視認部５０は、キャリッジ２３がホームポジションに位置する場合に、開口３０の位置と対応するように位置することが好ましい。例えば、第１視認部５１は、キャリッジ２３がホームポジションに位置する場合において筐体１２の前方から第１開口３１を見た際に、第１開口３１と重なるように位置することが好ましい。すなわち、第１視認部５１は、キャリッジ２３がホームポジションに位置する場合において、奥行方向Ｙにおいて第１開口３１と重なるように位置することが好ましい。
【００５０】
第２視認部５２は、キャリッジ２３がホームポジションに位置する場合において筐体１２の上方から第２開口３２を見た際に、第２開口３２と重なるように位置することが好ましい。すなわち、第２視認部５２は、キャリッジ２３がホームポジションに位置する場合において、幅方向Ｘにおいて第２開口３２と重なるように位置することが好ましい。こうすると、容器本体４１が収容する液体の残量を一層視認し易くなる。
【００５１】
視認部５０は、例えば容器本体４１の右側面４７に形成されてもよい。筐体１２の右側面１７に第３開口３３が形成される場合、視認部５０は、容器本体４１の右側面４７に形成されることが好ましい。第１実施形態において、容器本体４１の右側面４７に設けられる視認部５０を第３視認部５３と称する。第３視認部５３は、例えば図２において２点鎖線で示す位置に形成される。第３視認部５３は、キャリッジ２３がホームポジションに位置する場合において筐体１２の右側方から第３開口３３を見た際に、第３開口３３と重なるように位置することが好ましい。すなわち、第３視認部５３は、キャリッジ２３がホームポジションに位置する場合において、幅方向Ｘにおいて第３開口３３と重なるように位置することが好ましい。
【００５２】
容器本体４１は、その全体を透明材料で構成されてもよい。この場合、容器本体４１全体が透明に形成されるため、容器本体４１における全ての面が視認部５０として機能する。こうすると、第１開口３１、第２開口３２及び第３開口３３の何れからでも液体収容容器２２が収容する液体の残量を視認できる。容器本体４１の全体を透明に形成すると、開口３０から入射する光が容器本体４１内に到達し易くなり、容器本体４１が収容する液体の残量を視認し易くなる。
【００５３】
次に、第１実施形態の液体収容容器２２の作用及び効果について説明する。
（１）容器本体４１の少なくとも一部分は、透明材料で形成される。そのため、容器本体４１において透明材料で形成された部分を介して、容器本体４１内を視認できる。容器本体４１内を見ることにより、容器本体４１に収容される液体を視認できる。したがって、上記第１実施形態によれば、容器本体４１において透明材料で形成された部分を介して、容器本体４１に収容される液体の残量を視認できる。
【００５４】
（２）筐体１２外から筐体１２の開口３０を介して筐体１２内を見ると、容器本体４１の視認部５０を視認できる。すなわち、筐体１２の開口３０を介して液体収容容器２２が収容する液体の残量を筐体１２外から視認できる。
【００５５】
（第２実施形態）
次に、液体収容容器２２の第２実施形態について説明する。第２実施形態においては、第１実施形態と異なる点について主として説明する。第２実施形態においては、第１実施形態と比較して、容器本体４１の形状が異なる。
【００５６】
図１０、図１１、図１２、図１３、図１４、図１５及び図１６に示すように、第２実施形態の容器本体４１は傾斜面５６を有する。すなわち、容器本体４１を構成する複数の面のうち少なくとも１つの面が傾斜面５６とされる。傾斜面５６は、容器本体４１がキャリッジ２３に装着された状態において、下方から上方にかけて容器本体４１の内部に向かうように傾斜する面である。すなわち、傾斜面５６は、容器本体４１において、上方を向く面である。傾斜面５６は、容器本体４１において上下に延びる。傾斜面５６は、容器本体４１において複数設けられてもよい。
【００５７】
容器本体４１は、前面４３、後面４４、上面４５、下面４６、右側面４７、左側面４８を有する。図１０に示す液体収容容器２２の斜視図は、容器本体４１の前面４３、上面４５及び右側面４７を示す図である。図１１に示す液体収容容器２２の斜視図は、容器本体４１の後面４４、下面４６及び左側面４８を示す図である。図１２に示す液体収容容器２２の正面図は、容器本体４１の前面４３を示す図である。図１３に示す液体収容容器２２の背面図は、容器本体４１の後面４４を示す図である。図１４に示す液体収容容器２２の平面図は、容器本体４１の上面４５を示す図である。図１５に示す液体収容容器２２の右側面図は、容器本体４１の右側面４７を示す図である。図１６に示す液体収容容器２２の左側面図は、容器本体４１の左側面４８を示す図である。容器本体４１の下面４６は、第１実施形態における容器本体４１の下面４６と同様に、矩形状の平坦な面とされる。
【００５８】
傾斜面５６は、容器本体４１がキャリッジ２３に装着された状態において容器本体４１の前方及び上方を向く。そのため、第２実施形態において、傾斜面５６は、前面４３及び上面４５により構成される。換言すると、傾斜面５６は、前面４３及び上面４５を構成する。
【００５９】
第２実施形態における傾斜面５６は、前面４３と、上面４５の一部分とを構成する。上面４５は、幅方向Ｘ及び奥行方向Ｙに広がる水平な部分と、この水平な部分に対して傾斜する部分とを有する。上面４５において傾斜する部分が、傾斜面５６であり前面４３でもある。傾斜面５６は、上面４５において容器本体４１の前方寄りに位置する。凹部４５ａは、上面４５において、幅方向Ｘ及び奥行方向Ｙに広がる水平な部分に位置する。
【００６０】
傾斜面５６は、後面４４、右側面４７又は左側面４８を構成するように設けられてもよい。傾斜面５６は、後面４４を構成する場合、容器本体４１の後方及び上方を向く。傾斜面５６は、右側面４７を構成する場合、容器本体４１の上方及び右側方を向く。傾斜面５６は、左側面４８を構成する場合、容器本体４１の上方及び左側方を向く。
【００６１】
傾斜面５６は、例えば前面４３、上面４５及び右側面４７を構成するように設けられてもよい。この場合、傾斜面５６は、容器本体４１の前方、上方及び右側方を向くように傾斜する。このように、傾斜面５６は、容器本体４１において３つの方向を向くように傾斜する面としてもよい。傾斜面５６を有する容器本体４１の形状は任意に変更してよい。
【００６２】
傾斜面５６は、容器本体４１の前方、後方、右側方及び左側方のうちの少なくとも１つの方向と、上方とを向く面である。そのため、傾斜面５６は、容器本体４１に対して上方及び下方を除くその他の方向と、上方とから視認できる面である。第２実施形態において、傾斜面５６は、容器本体４１の前方及び上方から視認可能である。傾斜面５６は、前面４３、右側面４７及び左側面４８のうち少なくとも１つの面と、上面４５とを構成することが好ましい。
【００６３】
傾斜面５６の少なくとも一部分は、透明材料で形成される。そのため、傾斜面５６には視認部５０が設けられる。第２実施形態においては、傾斜面５６においてその縁部分を除く領域が透明材料で形成される。これにより、傾斜面５６を介して容器本体４１内を視認できる。第２実施形態において、傾斜面５６は前面４３及び上面４５を構成するため、傾斜面５６に設けられる視認部５０は、第１視認部５１でもあり第２視認部５２でもある。傾斜面５６の全体を透明材料で形成してもよい。第２実施形態においては、第３視認部５３を設けてもよいし設けなくともよい。
【００６４】
容器本体４１が収容する液体の液面は、その液体の残量が減ることに伴って下降する。そのため、容器本体４１が収容する液体の液面位置を見ると、その液体の残量を把握し易い。本明細書中において、液面位置とは、鉛直方向Ｚにおける液面の位置のことを指す。
【００６５】
容器本体４１の前方から傾斜面５６を見ると、傾斜面５６に設けられる視認部５０を介して液面位置を視認できる。これにより、例えば図１２において、容器本体４１が収容する液体の液面位置が傾斜面５６において上方寄りに位置する場合、液体の残量が多いことを把握できる。図１２において、液体の液面位置が傾斜面５６において下方寄りに位置する場合、液体の残量が少ないことを把握できる。
【００６６】
容器本体４１の上方から傾斜面５６を見ると、傾斜面５６に設けられる視認部５０を介して液面の縁を視認できる。このとき、傾斜面５６において液面の縁がどの位置にあるかを見ることにより、液面位置を視認できる。例えば図１４において、容器本体４１が収容する液体の液面の縁が傾斜面５６において容器本体４１の後方寄りに位置する場合、液体の液面位置が高い位置にあることを視認できる。すなわち、液体の残量が多いことを把握できる。図１４において、液体の液面の縁が傾斜面５６において容器本体４１の前方寄りに位置する場合、液体の液面位置が低い位置にあることを視認できる。すなわち、液体の残量が少ないことを把握できる。
【００６７】
第２実施形態においては、容器本体４１を上方から見ると、傾斜面５６を視認できる。傾斜面５６を見ると、傾斜面５６に設けられる視認部５０を介して容器本体４１が収容する液体の液面位置を視認できる。これにより、容器本体４１を前方から見た場合に限らず上方から見た場合でも、液体の残量を視認し易い。
【００６８】
視認部５０には、容器本体４１が収容する液体の残量を示す目盛５７が設けられてもよい。目盛５７は、塗料を用いて描いたり溝を彫ったりするなどして形成される。液体の液面位置と目盛５７とを比較して見ると、液体の残量を視認し易い。
【００６９】
上記第２実施形態によれば、（１）及び（２）の効果に加えて以下の効果を得られる。
（３）傾斜面５６は、下方から上方にかけて容器本体４１の内部に向かうように傾斜する。そのため、容器本体４１において、傾斜面５６は上方を向く。傾斜面５６が上方を向くことにより、容器本体４１を上方から見る場合に傾斜面５６を視認できる。傾斜面５６が透明材料で形成されるため、容器本体４１が収容する液体の液面位置を上方から傾斜面５６を介して視認できる。液体の液面位置を見ることにより、液体の残量を視認できる。このように、上記第２実施形態によれば、容器本体４１に収容される液体の残量を容器本体４１の上方から視認し易くできる。
【００７０】
（第３実施形態）
次に、液体収容容器２２の第３実施形態について説明する。第３実施形態においては、第１実施形態及び第２実施形態と異なる点について主として説明する。第３実施形態においては、第１実施形態及び第２実施形態と比較して、容器本体４１の形状が異なる。
【００７１】
図１７、図１８、図１９、図２０、図２１及び図２２に示すように、第３実施形態の容器本体４１は段差面５９を有する。すなわち、容器本体４１を構成する複数の面のうち少なくとも１つの面が段差面５９とされる。段差面５９は、容器本体４１がキャリッジ２３に装着された状態において下方から上方に向けて階段状をなす面である。段差面５９は、容器本体４１において上下に延びる。段差面５９は、容器本体４１において複数設けられてもよい。
【００７２】
容器本体４１は、前面４３、後面４４、上面４５、下面４６、右側面４７、左側面４８を有する。図１７に示す液体収容容器２２の斜視図は、容器本体４１の前面４３、上面４５及び右側面４７を示す図である。図１８に示す液体収容容器２２の斜視図は、容器本体４１の後面４４、下面４６及び左側面４８を示す図である。図１９に示す液体収容容器２２の正面図は、容器本体４１の前面４３を示す図である。図２０に示す液体収容容器２２の平面図は、容器本体４１の上面４５を示す図である。図２１に示す液体収容容器２２の右側面図は、容器本体４１の右側面４７を示す図である。図２２に示す液体収容容器２２の左側面図は、容器本体４１の左側面４８を示す図である。容器本体４１の後面４４及び下面４６は、第１実施形態における容器本体４１の後面４４及び下面４６と同様に、矩形状の平坦な面とされる。
【００７３】
段差面５９は、容器本体４１がキャリッジ２３に装着された状態において容器本体４１の前方及び上方を向く。そのため、第３実施形態において、段差面５９は、前面４３及び上面４５により構成される。換言すると、段差面５９は、前面４３及び上面４５を構成する。第３実施形態の段差面５９は、前面４３と、上面４５の一部分とを構成する。段差面５９は、容器本体４１において、奥行方向Ｙにおいて前面４３の一部分と上面４５の一部分とが交互に連続して並ぶことで形成される。これにより、段差面５９は階段状をなす。
【００７４】
前面４３は、下方から上方に向けて順に、第１前面４３１、第２前面４３２、第３前面４３３、第４前面４３４を有する。上面４５は、奥行方向Ｙにおいて順に、第１上面４５１、第２上面４５２、第３上面４５３、第４上面４５４を有する。
【００７５】
段差面５９は、第１前面４３１、第１上面４５１、第２前面４３２、第２上面４５２、第３前面４３３、第３上面４５３、第４前面４３４によって形成される。容器本体４１において第１前面４３１、第１上面４５１、第２前面４３２、第２上面４５２、第３前面４３３、第３上面４５３、第４前面４３４の順に並ぶことにより、段差面５９は階段状をなす。第４上面４５４には、注入部４２及び凹部４５ａが設けられる。
【００７６】
段差面５９は、後面４４、右側面４７又は左側面４８を構成するように設けられてもよい。段差面５９は、後面４４を構成する場合、容器本体４１の後方及び上方を向く。段差面５９は、右側面４７を構成する場合、容器本体４１の上方及び右側方を向く。段差面５９は、左側面４８を構成する場合、容器本体４１の上方及び左側方を向く。段差面５９を有する容器本体４１の形状は任意に変更してよい。
【００７７】
段差面５９は、容器本体４１の前方、後方、右側方及び左側方のうちの少なくとも１つの方向と、上方とを向く面である。そのため、段差面５９は、容器本体４１に対して上方及び下方を除くその他の方向と、上方とから視認できる面である。第３実施形態において、段差面５９は、容器本体４１の前方及び上方から視認可能である。段差面５９は、前面４３、右側面４７及び左側面４８のうち少なくとも１つの面と、上面４５とを構成することが好ましい。
【００７８】
段差面５９の少なくとも一部分は、透明材料で形成される。そのため、段差面５９には視認部５０が設けられる。第３実施形態においては、段差面５９においてその縁部分を除く領域が透明材料で形成される。例えば、段差面５９において、図１７、図１９及び図２０において２点鎖線で示す部分が透明材料で形成される。これにより、段差面５９を介して容器本体４１内を視認可能となる。段差面５９の全体を透明材料で形成してもよい。
【００７９】
視認部５０は、段差面５９において、第１前面４３１、第１上面４５１、第２前面４３２、第２上面４５２、第３前面４３３、第３上面４５３、第４前面４３４に亘って設けられる。第１前面４３１、第２前面４３２、第３前面４３３及び第４前面４３４に設けられる視認部５０は、第１視認部５１である。第１上面４５１、第２上面４５２及び第３上面４５３に設けられる視認部５０は、第２視認部５２である。そのため、視認部５０は、段差面５９において第１視認部５１と第２視認部５２とが交互に並ぶように形成される。第４上面４５４に視認部５０を設けてもよい。第３実施形態においては、第３視認部５３を設けてもよいし設けなくともよい。
【００８０】
図１９に示すように、容器本体４１の前方から段差面５９を見ると、第１前面４３１、第２前面４３２、第３前面４３３及び第４前面４３４が下方から上方に向けて連続して並ぶように見える。そのため、第１前面４３１、第２前面４３２、第３前面４３３及び第４前面４３４にそれぞれ設けられる第１視認部５１が上下に連続して並ぶように見える。このとき、第１視認部５１を介して、容器本体４１が収容する液体の液面位置を視認できる。これにより、図１９において、容器本体４１が収容する液体の液面位置が段差面５９において上方寄りに位置する場合、液体の残量が多いことを把握できる。図１９において、液体の液面位置が段差面５９において下方寄りに位置する場合、液体の残量が少ないことを把握できる。
【００８１】
図２０に示すように、容器本体４１の上方から段差面５９を見ると、第１上面４５１、第２上面４５２、第３上面４５３及び第４上面４５４が奥行方向Ｙにおいて連続して並ぶように見える。そのため、第１上面４５１、第２上面４５２及び第３上面４５３にそれぞれ設けられる第２視認部５２が奥行方向Ｙに連続して並ぶように見える。このとき、容器本体４１が収容する液体の残量に応じて、第２視認部５２を介して容器本体４１内を見たときの液体の見え方が異なる。
【００８２】
容器本体４１が収容する液体の残量が多い場合、例えば液面位置が第３上面４５３よりも高い位置にある場合、第１上面４５１、第２上面４５２、第３上面４５３と、液面位置との鉛直方向Ｚにおける距離がそれぞれほぼ同じとなる。そのため、第１上面４５１、第２上面４５２、第３上面４５３の第２視認部５２を介して容器本体４１内を見たときの液体の見え方が一様となる。すなわち、第２視認部５２を介して容器本体４１内を見たときの液体の見え方が一様となる場合に、容器本体４１において液面位置が高い位置にあることを視認できる。
【００８３】
容器本体４１が収容する液体の残量が少ない場合、例えば液面位置が第１上面４５１よりも低い位置にある場合、第１上面４５１、第２上面４５２、第３上面４５３と、液面位置との鉛直方向Ｚにおける距離がそれぞれ異なる。具体的には、鉛直方向Ｚにおいて、第１上面４５１と液面位置との距離は、第２上面４５２と液面位置との距離よりも短くなる。鉛直方向Ｚにおいて、第２上面４５２と液面位置との距離は、第３上面４５３と液面位置との距離よりも短くなる。
【００８４】
通常、第２視認部５２と液面位置との距離が長くなるほど、第２視認部５２を介して容器本体４１内を見たときの液体の視認性が低下する。そのため、液体の残量が少ない場合、第１上面４５１の第２視認部５２を介する液体の視認性は高い一方で、第３上面４５３の第２視認部５２を介する液体の視認性は低くなる。すなわち、液体の残量が少ない場合、第２視認部５２を介して視認される液体の視認性が奥行方向Ｙに向かうにつれて低くなる。このようにして、容器本体４１において液面位置が低い位置にあることを視認できる。
【００８５】
上述したように、第２視認部５２を介して容器本体４１内を見たときの液体の見え方の違いによって、液体の液面位置を視認できる。すなわち、容器本体４１を前方から見た場合に限らず上方から見た場合でも、段差面５９を介して液体の液面位置を視認できる。
【００８６】
上記第３実施形態によれば、（１）及び（２）の効果に加えて以下の効果を得られる。
（４）段差面５９が下方から上方にかけて階段状をなすため、上方から容器本体４１を見る場合に段差面５９を視認できる。段差面５９が透明材料で形成されることにより、容器本体４１が収容する液体の液面位置を上方から段差面５９を介して視認できる。このように、上記第３実施形態によれば、容器本体４１に収容される液体の残量を視認し易くできる。
【００８７】
（第４実施形態）
次に、液体収容容器２２の第４実施形態について示す。第４実施形態においては、第１実施形態から第３実施形態と異なる点について主として説明する。
【００８８】
図２３、図２４、図２５、図２６、図２７及び図２８に示すように、第４実施形態の容器本体４１は柱６１を有する。柱６１は、容器本体４１内に位置し、容器本体４１がキャリッジ２３に装着された状態において上下に延びるように設けられる。第４実施形態において、柱６１は円錐台状に形成される。柱６１は、円錐台状に限らず角錐台状でもよい。柱６１は、円錐状、角錐状でもよいし、円柱状、角柱状でもよい。柱６１の形状は任意に変更してよい。
【００８９】
柱６１は、容器本体４１の内底面から上方に向けて延びる。第４実施形態の柱６１は、容器本体４１の下面４６の一部が容器本体４１内に向けて凹むようにして形成される。柱６１は、視認部５０を介して視認可能な位置に位置する。第４実施形態において、柱６１は、容器本体４１内において、前面４３寄り且つ左側面４８寄りに位置する。柱６１は、奥行方向Ｙにおいて第１視認部５１と重なるように位置する。すなわち、柱６１は、容器本体４１を前方から見た場合に第１視認部５１と重なるように位置する。こうすると、容器本体４１を前方から見た場合に第１視認部５１を介して柱６１を視認できる。
【００９０】
柱６１は鉛直方向Ｚにおいて第２視認部５２と重なるように位置する。すなわち、柱６１は、容器本体４１を上方から見た場合に第２視認部５２と重なるように位置する。こうすると、容器本体４１を上方から見た場合に第２視認部５２を介して柱６１を視認できる。
【００９１】
柱６１は、第１視認部５１及び第２視認部５２を介してその外形が把握できる程度の大きさであることが好ましい。換言すると、第１視認部５１、第２視認部５２は、柱６１の外形を把握できる程度の大きさであることが好ましい。第３実施形態における第１視認部５１は、前面４３において鉛直方向Ｚに延びる長方形状をなす。第２視認部５２は、上面４５において正方形状をなす。第４実施形態においては、第３視認部５３を設けてもよいし設けなくともよい。
【００９２】
視認部５０を介して容器本体４１内を見ると、液体と柱６１とを視認できる。このとき、容器本体４１内において、柱６１の一部分が液体の液面から突出している。液面から突出する柱６１の突出量は、液体の液面位置によって変わる。そのため、液体の液面から突出する柱６１の突出量を見ると、液体の残量を視認し易い。
【００９３】
容器本体４１を前方から見ると、第１視認部５１を介して液体と柱６１とを視認できる。第１視認部５１を介して視認される柱６１の突出量が小さい場合、すなわち柱６１の上端部分である先端部分だけが液面から突出する場合、液体の液面位置が高いことを視認できる。これにより、液体の残量が多いことを視認できる。
【００９４】
第１視認部５１を介して視認される柱６１の突出量が大きい場合、すなわち柱６１の先端とは反対側の基端寄りとなる部分が液面から突出する場合、液体の液面位置が低いことを視認できる。これにより、液体の残量が少ないことを視認できる。このように、容器本体４１内に柱６１を設けることによって、液体の残量を視認し易くできる。
【００９５】
柱６１は錐台状又は錐体状に形成するとよい。こうすると、容器本体４１を上方から見る場合においても、液体の残量を視認し易くなる。容器本体４１を上方から見ると、第２視認部５２を介して液体と柱６１とを視認できる。液体の残量が多い場合、すなわち液面位置が高い場合、柱６１は、径が小さいその先端部分だけが液面から突出する。そのため、第２視認部５２を介して視認される柱６１の面積量が小さい。これにより、柱６１の突出量が小さいことを視認できる。
【００９６】
液体の残量が少ない場合、すなわち液面位置が低い場合、柱６１は、径が大きいその基端寄りの部分が液面から突出する。そのため、第２視認部５２を介して視認される柱６１の面積量が大きい。これにより、柱６１の突出量が大きいことを視認できる。第２視認部５２を介して、液面から突出する柱６１の突出量を見ることにより、液面位置を視認できる。液面位置を見ることによって、液体の残量を把握できる。
【００９７】
視認部５０を介して容器本体４１内を見たときに、柱６１が液面から突出していない場合がある。この場合、柱６１の先端よりも液面位置の方が高い位置にある。そのため、柱６１が液面から突出していない場合、液体の残量が多いことを視認できる。
【００９８】
柱６１の内部に例えばＬＥＤである発光体６２を配置してもよい。こうすると、発光体６２の発光により柱６１がその内部から照らされることによって、柱６１の突出量を視認し易くなる。
【００９９】
柱６１には、目盛５７が設けられてもよい。目盛５７は、柱６１の周面に沿って形成されるとよい。柱６１に目盛５７を設けることにより、液体の残量を視認し易くなる。
上記第４実施形態によれば、（１）及び（２）の効果に加えて以下の効果を得られる。
【０１００】
（５）視認部５０を介して容器本体４１内を見ると、容器本体４１が収容する液体の液面から突出する柱６１の突出量を視認できる。柱６１の突出量が大きい場合、液体の残量が少ないことを視認できる。柱６１の突出量が小さい場合、液体の残量が多いことを視認できる。このように、柱６１を設けることによって、液体の残量を視認し易くできる。
【０１０１】
（第５実施形態）
次に、液体収容容器２２の第５実施形態について示す。第５実施形態においては、第１実施形態から第４実施形態と異なる点について主として説明する。
【０１０２】
図２９、図３０、図３１及び図３２に示すように、第５実施形態の容器本体４１は仕切板６４を有する。仕切板６４は、容器本体４１内に位置し、容器本体４１がキャリッジ２３に装着された状態において上下に延びるように設けられる。仕切板６４は、容器本体４１内を仕切る。仕切板６４は、容器本体４１の前方から後方にかけて、下方から上方に向かうように延びる。そのため、仕切板６４は、容器本体４１の前面４３、後面４４、上面４５、下面４６に対して傾斜している。仕切板６４は、その表面が上方を向くように傾斜しているともいえる。
【０１０３】
仕切板６４は、容器本体４１の内底面から上方に向けて延びる。仕切板６４は、視認部５０を介して視認可能な位置に位置する。第５実施形態において、仕切板６４は、容器本体４１内において左側面４８寄りに位置する。
【０１０４】
仕切板６４は、奥行方向Ｙにおいて第１視認部５１と重なるように位置する。すなわち、仕切板６４は、容器本体４１を前方から見た場合に第１視認部５１と重なるように位置する。こうすると、容器本体４１を前方から見た場合に第１視認部５１を介して仕切板６４を視認できる。
【０１０５】
仕切板６４は鉛直方向Ｚにおいて第２視認部５２と重なるように位置する。すなわち、仕切板６４は、容器本体４１を上方から見た場合に第２視認部５２と重なるように位置する。こうすると、容器本体４１を上方から見た場合に第２視認部５２を介して仕切板６４を視認できる。
【０１０６】
第５実施形態における第１視認部５１は、前面４３において鉛直方向Ｚに延びる長方形状をなす。第２視認部５２は、上面４５において奥行方向Ｙに延びる長方形状をなす。第５実施形態においては、第３視認部５３を設けてもよいし設けなくともよい。
【０１０７】
視認部５０を介して容器本体４１内を見ると、液体と仕切板６４とを視認できる。このとき、容器本体４１内において、仕切板６４の一部分が液体の液面から突出している。液面から突出する仕切板６４の突出量は、その液面位置によって変わる。そのため、液体の液面から突出する仕切板６４の突出量を見ると、液体の残量を視認し易い。
【０１０８】
容器本体４１を前方から見ると、第１視認部５１を介して液体と仕切板６４とを視認できる。第１視認部５１を介して視認される仕切板６４の突出量が小さい場合、液体の液面位置が高いことを視認できる。これにより、液体の残量が多いことを視認できる。
【０１０９】
第１視認部５１を介して視認される仕切板６４の突出量が大きい場合、液体の液面位置が低いことを視認できる。これにより、液体の残量が少ないことを視認できる。このように、容器本体４１内に仕切板６４を設けることによって、液体の残量を視認し易くできる。すなわち、仕切板６４は、第４実施形態における柱６１と同様に、液体の残量を視認し易くするための部材である。
【０１１０】
容器本体４１を上方から見ると、第２視認部５２を介して液体と仕切板６４とを視認できる。このとき、仕切板６４の表面が上方を向くため、仕切板６４上において液体の縁を視認できる。仕切板６４上において液面の縁がどの位置にあるかを見ることにより、液面位置を視認できる。換言すると、仕切板６４上において液体の縁がどの位置にあるかを見ることにより、液面から突出する仕切板６４の突出量を視認できる。
【０１１１】
図３２において、容器本体４１が収容する液体の液面の縁が仕切板６４上において容器本体４１の後方寄りに位置する場合、液体の液面位置が高い位置にあることを視認できる。このとき、液面から突出する仕切板６４の突出量が少ないことを視認できる。すなわち、液体の残量が多いことを把握できる。
【０１１２】
図３２において、液体の液面の縁が仕切板６４上において容器本体４１の前方寄りに位置する場合、液体の液面位置が低い位置にあることを視認できる。このとき、液面から突出する仕切板６４の突出量が多いことを視認できる。すなわち、液体の残量が少ないことを把握できる。
【０１１３】
仕切板６４には、目盛５７が設けられてもよい。仕切板６４に目盛５７を設けると、液体の残量を視認し易くなる。
第５実施形態によれば、（１）及び（２）の効果に加えて以下の効果を得られる。
【０１１４】
（６）視認部５０を介して容器本体４１内を見ると、容器本体４１が収容する液体の液面から突出する仕切板の突出量を視認できる。仕切板の突出量が大きい場合、液体の残量が少ないことを視認できる。仕切板の突出量が小さい場合、液体の残量が多いことを視認できる。このように、仕切板を設けることによって、液体の残量を視認し易くできる。
【０１１５】
（第６実施形態）
次に、液体収容容器２２の第６実施形態について説明する。第６実施形態においては、第１実施形態から第５実施形態と異なる点について主として説明する。
【０１１６】
図３３、図３４、図３５及び図３６に示すように、第６実施形態の容器本体４１は仕切板６６を有する。仕切板６６は、容器本体４１内に位置し、容器本体４１がキャリッジ２３に装着された状態において上下に延びるように設けられる。仕切板６６は、第１視認部５１を介して視認可能な位置に位置する。仕切板６６は、奥行方向Ｙにおいて第１視認部５１と重なるように位置する。すなわち、仕切板６６は、容器本体４１を前方から見た場合に第１視認部５１と重なるように位置する。こうすると、容器本体４１を前方から見た場合に第１視認部５１を介して仕切板６６を視認できる。
【０１１７】
第６実施形態の仕切板６６は、第１視認部５１と一体的に形成される。そのため、仕切板６６は、第１視認部５１と同様に、ガラス、プラスチック、セラミックなどの透明材料で形成される。第６実施形態においては、第２視認部５２及び第３視認部５３を設けてもよいし設けなくともよい。
【０１１８】
図３７及び図３８に示すように、第１視認部５１は、容器本体４１の前面４３を構成する表面６７と、その反対側の裏面６８とを有する。仕切板６６は、第１視認部５１の裏面６８からアーチ状をなすように湾曲して延びる。図３７は、図３５のＣ−Ｃ’部分及び図３６のＤ−Ｄ’部分における、図３５のＡ−Ａ切断部端面図である。図３８は、図３５のＣ−Ｃ’部分及び図３６のＤ−Ｄ’部分における、図３５のＢ−Ｂ切断部端面図である。
【０１１９】
仕切板６６は、第１視認部５１の裏面６８において鉛直方向Ｚに延びる。鉛直方向Ｚにおいて、仕切板６６の長さは、第１視認部５１の長さと同等である。仕切板６６は、幅方向Ｘにおいてアーチ状をなす。仕切板６６は、容器本体４１の上方又は下方から見た場合において半円状をなすように湾曲する。仕切板６６は、第１視認部５１の裏面６８において、幅方向Ｘの中央寄りに位置する。そのため、幅方向Ｘにおいて、仕切板６６の長さは、第１視認部５１の長さよりも短い。
【０１２０】
上下に延びる仕切板６６の上端及び下端は開放されている。すなわち、第１視認部５１及び仕切板６６は、容器本体４１内において、上下に延びる筒形状を形成する。第１視認部５１及び仕切板６６によって形成される空間Ｓには、容器本体４１が収容する液体が流れる。この空間Ｓは容器本体４１内の空間の一部である。そのため、仕切板６６は容器本体４１内を仕切る。
【０１２１】
視認部５０を介して容器本体４１内を見ると、液体と仕切板６６とを視認できる。このとき、容器本体４１内において、仕切板６６の一部分が液体の液面から突出している。液面から突出する仕切板６６の突出量は、その液面位置によって変わる。そのため、液体の液面から突出する仕切板６６の突出量を見ると、液体の残量を視認し易い。
【０１２２】
仕切板６６において空間Ｓに面するその内周面６９に、例えばシボ加工を施してもよい。シボ加工を施した透明材料の表面では、光が反射され易くなる。仕切板６６の内周面６９においては、シボ加工を施すことによって、その透明度が低下する。これにより、仕切板６６の内周面６９は、光を反射し易くなる。
【０１２３】
図３３、図３４、図３５、図３６、図３７及び図３８に示すように、仕切板６６は、容器本体４１内において、視認部５０が設けられる面、すなわち前面４３寄りとなる位置に位置する。そのため、容器本体４１内において、視認部５０が設けられる面と仕切板６６との距離は、視認部５０が設けられる面とは反対側の面と仕切板６６との距離よりも短い。具体的には、容器本体４１内において、前面４３と仕切板６６との距離は、後面４４と仕切板６６との距離よりも短い。
【０１２４】
第１視認部５１を介して容器本体４１内を見る際、容器本体４１内に入射した光が容器本体４１内で反射することにより、容器本体４１が収容する液体の残量を視認できる。一般的に、光の強度は、光源からの距離が長くなるほど小さくなる。そのため、容器本体４１内において第１視認部５１から入射した光が反射するまでの距離が短いほど、その反射する光の強度が大きくなる。すなわち、容器本体４１内において第１視認部５１から入射した光が反射するまでの距離が短いほど、容器本体４１内から容器本体４１外に向けて第１視認部５１を透過する光の強度が大きくなる。このため、仕切板６６は、容器本体４１内において視認部５０に近い位置に配置することが好ましい。こうすると、仕切板６６と視認部５０との間に位置する液体の液面位置が視認し易くなる。その結果、液体の残量を視認し易くなる。
【０１２５】
第６実施形態において、第１視認部５１から容器本体４１内に入射する光の一部は、仕切板６６の内周面６９において反射する。そのため、仕切板６６が前面４３寄りに位置することにより、仕切板６６と第１視認部５１との間に位置する液体、すなわち空間Ｓに位置する液体の液面位置が視認し易くなる。
【０１２６】
仕切板６６は、透明材料で形成されていなくともよく、その他の材料で形成されてもよい。仕切板６６が光を反射し易い材料で形成される場合、内周面６９におけるシボ加工が不要となる。仕切板６６は、第１視認部５１と一体的に形成されていなくともよく、第１視認部５１とは別に形成されてもよい。この場合、仕切板６６は、図３８において２点鎖線で示す部分を境に、第１視認部５１とは別に形成される。
【０１２７】
仕切板６６が透明材料で形成されている場合であっても、その内周面６９にシボ加工を施していなくともよい。現実的に、透過率１００％の材料で仕切板６６を形成することは難しい。そのため、透明材料からなる仕切板６６を第１視認部５１寄りに配置すると、その内周面６９で少なからず光が反射する。容器本体４１内に仕切板６６を設けることにより、容器本体４１内に仕切板６６を設けない場合よりも、液体の残量を視認し易くできる。
【０１２８】
第１視認部５１には、目盛５７が設けられてもよい。第１視認部５１に目盛５７を設けると、液体の残量を視認し易くなる。目盛５７は、容器本体４１を前方から見たときに、仕切板６６と重なる位置に形成するとよい。
【０１２９】
第６実施形態によれば、（１）、（２）及び（６）の効果に加えて以下の効果を得られる。
（７）容器本体４１内において、仕切板は、視認部５０が設けられる面寄りに配置される。そのため、仕切板は、視認部５０寄りとなる位置で、視認部５０から入射する光を反射する。これにより、液体の残量を視認し易くできる。
【０１３０】
（第７実施形態）
次に、液体収容容器２２の第７実施形態について説明する。第７実施形態においては、第１実施形態から第６実施形態と異なる点について主として説明する。
【０１３１】
図３９、図４０及び図４１に示すように、第７実施形態の容器本体４１は仕切板７１を有する。第７実施形態においては、その仕切板７１の大きさが第６実施形態の仕切板６６と異なるのみで、その他の構成については第６実施形態と同一である。
【０１３２】
仕切板７１は、容器本体４１内において、第１視認部５１寄りとなる位置に位置する。鉛直方向Ｚにおいて、仕切板７１の長さは、第１視認部５１の長さと同等である。仕切板７１は、幅方向Ｘにおいてアーチ状をなす。すなわち、仕切板７１は、容器本体４１の上方又は下方から見た場合において半円状をなすように湾曲する。幅方向Ｘにおいて、仕切板７１の長さは、第１視認部５１の長さと同等である。そのため、幅方向Ｘにおいて、第７実施形態における仕切板７１の長さは、第６実施形態における仕切板６６の長さよりも長い。これに伴い、第７実施形態においてアーチ状に湾曲する仕切板７１の曲率は、第６実施形態においてアーチ状に湾曲する仕切板６６の曲率よりも小さい。
【０１３３】
仕切板７１は、第１視認部５１の幅方向Ｘにおける両端部分から延びるように設けられる。そのため、第１視認部５１と仕切板７１とによって形成される筒形状は、容器本体４１の上方又は下方から見たときにＤ字型をなす。
【０１３４】
第７実施形態によれば、第６実施形態と同様の効果を得られる。すなわち、第７実施形態によれば、（１）、（２）、（６）及び（７）の効果を得られる。
（第８実施形態）
次に、液体収容容器２２の第８実施形態について示す。第８実施形態においては、第１実施形態と異なる点について主として説明する。
【０１３５】
図４２、図４３、図４４及び図４５に示すように、第８実施形態の容器本体４１は仕切板７３を有する。仕切板７３は、容器本体４１内に位置し、容器本体４１がキャリッジ２３に装着された状態において上下に延びるように設けられる。仕切板７３は、容器本体４１内を仕切る。仕切板７３は、容器本体４１の内底面から上方に向けて延びるように設けられる。
【０１３６】
仕切板７３は、第１視認部５１を介して視認可能な位置に位置する。仕切板７３は、奥行方向Ｙにおいて第１視認部５１と重なるように位置する。すなわち、仕切板７３は、容器本体４１を前方から見た場合に第１視認部５１と重なるように位置する。こうすると、容器本体４１を前方から見た場合に第１視認部５１を介して仕切板６６を視認できる。第８実施形態においては、第２視認部５２及び第３視認部５３を設けてもよいし設けなくともよい。
【０１３７】
視認部５０を介して容器本体４１内を見ると、液体と仕切板７３とを視認できる。このとき、容器本体４１内において、仕切板７３の一部分が液体の液面から突出している。液面から突出する仕切板７３の突出量は、その液面位置によって変わる。そのため、液体の液面から突出する仕切板７３の突出量を見ると、液体の残量を視認し易い。
【０１３８】
容器本体４１を前方から見ると、第１視認部５１を介して液体と仕切板７３とを視認できる。第１視認部５１を介して視認される仕切板７３の突出量が小さい場合、液体の液面位置が高いことを視認できる。これにより、液体の残量が多いことを視認できる。
【０１３９】
第１視認部５１を介して視認される仕切板７３の突出量が大きい場合、液体の液面位置が低いことを視認できる。これにより、液体の残量が少ないことを視認できる。このように、容器本体４１内に仕切板７３を設けることによって、液体の残量を視認し易くできる。
【０１４０】
仕切板７３は、容器本体４１内において、視認部５０が設けられる面、すなわち前面４３寄りとなる位置に位置する。そのため、容器本体４１内において、視認部５０が設けられる面と仕切板７３との距離は、視認部５０が設けられる面とは反対側の面と仕切板７３との距離よりも短い。具体的には、容器本体４１内において、前面４３と仕切板７３との距離は、後面４４と仕切板７３との距離よりも短い。
【０１４１】
第１視認部５１から容器本体４１内に入射する光の一部は、仕切板７３において反射する。そのため、仕切板７３が前面４３寄りに位置することにより、仕切板７３と第１視認部５１との間に位置する液体の液面位置が視認し易くなる。
【０１４２】
第８実施形態の仕切板７３は、第１視認部５１から入射する光を反射し易いように、例えば白色のプラスチック材料で形成される。こうすると、仕切板７３と視認部５０との間に位置する液体の液面位置が一層視認し易くなる。
【０１４３】
図４２、図４４及び図４６に示すように、仕切板７３には溝７４が形成される。図４６は図４４のＦ−Ｆ’部分及び図４５のＧ−Ｇ’部分における、図４４のＥ−Ｅ切断部端面図である。溝７４は、仕切板７３において、視認部５０寄りとなる面に形成される。すなわち、溝７４は、仕切板７３において、第１視認部５１を介して視認される面に形成される。溝７４は、仕切板７３において、蛇行しながら鉛直方向Ｚに延びるように形成される。溝７４の形状は任意に変更してよい。溝７４は、仕切板７３において、幅方向Ｘに亘って複数形成される。溝７４を設けることにより、仕切板７３に付着した液体が下方に流れ易くなる。
【０１４４】
第１視認部５１を介して容器本体４１内を見る際、仕切板７３の表面に液体が付着していると、液面から突出する仕切板７３の突出量を視認し難くなる。すなわち、液体の液面位置を視認し難くなる。そのため、仕切板７３に溝７４を設けることによって、仕切板７３の表面に液体が残留することを抑制する。これにより、液体の液面位置が視認し難くなることが抑制される。その結果、液体の残量を視認し易くなる。
【０１４５】
第１視認部５１には、目盛５７が設けられてもよい。第１視認部５１に目盛５７を設けると、液体の残量を視認し易くなる。目盛５７は、容器本体４１を前方から見たときに、仕切板７３と重なる位置に形成するとよい。
【０１４６】
第８実施形態によれば、（１）、（２）、（６）及び（７）の効果を得られる。
（第９実施形態）
次に、液体収容容器２２の第９実施形態について示す。第９実施形態においては、第１実施形態から第８実施形態と異なる点について主として説明する。
【０１４７】
図４７、図４８、図４９及び図５０に示すように、第９実施形態の容器本体４１は、仕切板７６を有する。仕切板７６は、容器本体４１内に位置し、容器本体４１がキャリッジ２３に装着された状態において上下に延びるように設けられる。仕切板７６は、容器本体４１内を仕切る。仕切板７６は、容器本体４１の内底面に設けられる。
【０１４８】
仕切板７６は、第１視認部５１を介して視認可能な位置に位置する。仕切板７６は、奥行方向Ｙにおいて第１視認部５１と重なるように位置する。すなわち、仕切板７６は、容器本体４１を前方から見た場合に第１視認部５１と重なるように位置する。こうすると、容器本体４１を前方から見た場合に第１視認部５１を介して仕切板７６を視認できる。第９実施形態においては、第２視認部５２及び第３視認部５３を設けてもよいし設けなくともよい。
【０１４９】
仕切板７６は、容器本体４１内において、視認部５０が設けられる面、すなわち前面４３寄りとなる位置に配置される。そのため、容器本体４１内において、視認部５０が設けられる面と仕切板７６との距離は、視認部５０が設けられる面と仕切板７６とは反対側の面との距離よりも短い。具体的には、容器本体４１内において、前面４３と仕切板７６との距離は、後面４４と仕切板７６との距離よりも短い。
【０１５０】
第９実施形態において、第１視認部５１から容器本体４１内に入射する光の一部は、仕切板７６において反射する。そのため、仕切板７６が前面４３寄りに位置することにより、仕切板７６と第１視認部５１との間に位置する液体の液面位置が視認し易くなる。
【０１５１】
仕切板７６は、幅方向Ｘにおける長さと比べて、鉛直方向Ｚにおける長さが短くなるように形成されている。そのため、第１視認部５１を介して容器本体４１内を見ると、容器本体４１が収容する液体の残量によっては、仕切板７６が液面から突出しない場合がある。
【０１５２】
仕切板７６は、容器本体４１が収容する液体の残量が僅少になった場合に、その上端が液面から突出する。液体の液面位置が仕切板７６の上端の位置を下回った際に、仕切板７６を視認できる。すなわち、第１視認部５１を介して仕切板７６を視認できたことを以って、液体の残量が少ないと視認できる。仕切板７６を視認できない場合は、液体の残量が多いと視認できる。
【０１５３】
第９実施形態によれば、（１）、（２）、（６）及び（７）の効果を得られる。
（第１０実施形態）
次に、液体収容容器２２の第１０実施形態について示す。第１０実施形態においては、第１実施形態から第９実施形態と異なる点について主として説明する。
【０１５４】
図５１及び図５２に示すように、第１０実施形態の容器本体４１は、目盛帯７８を有する。目盛帯７８は、目盛５７を有するシート状の部材である。目盛帯７８は、第１視認部５１に取り付けられる。目盛帯７８は、第１視認部５１において、容器本体４１の左側面４８寄りに位置する。目盛帯７８は、第１視認部５１において、右側面４７寄りに位置してもよい。目盛帯７８は、第１視認部５１において、前面１３を構成する側の面（表面６７）、容器本体４１内に位置する側の面（裏面６８）の何れに取り付けられてもよい。
【０１５５】
目盛帯７８は、鉛直方向Ｚに延びる長方形状をなす。鉛直方向Ｚにおいて、目盛帯７８の長さは、第１視認部５１の長さとほぼ同じである。幅方向Ｘにおいて、目盛帯７８の長さは、第１視認部５１の長さよりも短い。第１０実施形態においては、第２視認部５２及び第３視認部５３を設けてもよいし設けなくともよい。目盛帯７８は、前面４３において第１視認部５１を除く領域に取り付けられてもよい。この場合、目盛帯７８は、第１視認部５１と幅方向Ｘにおいて隣り合うように位置することが好ましい。例えば、目盛帯７８は、図５２において２点鎖線で示す位置に位置してもよい。
【０１５６】
第１視認部５１を介して液体の液面位置を見る際に、目盛帯７８を併せて見ることにより、液体の残量を視認し易い。
第１０実施形態によれば、（１）及び（２）の効果を得られる。
【０１５７】
（第１１実施形態）
次に、液体収容容器２２の第１１実施形態について示す。第１１実施形態においては、第１実施形態から第１０実施形態と異なる点について主として説明する。
【０１５８】
図５３及び図５４に示すように、第１１実施形態の容器本体４１は、収容する液体の残量を表示するための目盛５７を有する。目盛５７は、第１視認部５１に形成される。目盛５７の表示は任意に変更してよい。例えば、目盛５７は、表示の間隔が大きい大目盛５７ａと、表示の間隔が小さい小目盛５７ｂとを有してもよい。第１１実施形態においては、第２視認部５２及び第３視認部５３を設けてもよいし設けなくともよい。
【０１５９】
第１視認部５１を介して液体の液面位置を見る際に、目盛５７を併せて見ることにより、液体の残量を視認し易い。
第１１実施形態によれば、（１）及び（２）の効果を得られる。
【０１６０】
（第１２実施形態）
次に、液体収容容器２２の第１２実施形態について示す。第１２実施形態においては、第１実施形態から第１１実施形態と異なる点について主として説明する。
【０１６１】
図５５、図５６、図５７、図５８、図５９及び図６０に示すように、第１２実施形態の液体収容容器２２は、注入部４２を複数有する。第１２実施形態の液体収容容器２２は、複数の液体を収容可能に構成される。液体収容容器２２は、例えば４種類の液体を収容可能とされる。容器本体４１は、４種類の液体をそれぞれ個別に収容可能とされる。注入部４２は、それぞれ異なる種別の液体を容器本体４１内に注入するために複数設けられる。
【０１６２】
図５４に示す液体収容容器２２の斜視図は、容器本体４１の前面４３、上面４５及び右側面４７を示す図である。図５５に示す液体収容容器２２の正面図は、容器本体４１の前面４３を示す図である。図５６に示す液体収容容器２２の背面図は、容器本体４１の後面４４を示す図である。図５７に示す液体収容容器２２の平面図は、容器本体４１の上面４５を示す図である。図５８に示す液体収容容器２２の底面図は、容器本体４１の下面４６を示す図である。図５９に示す液体収容容器２２の右側面図は、容器本体４１の右側面４７を示す図である。第１２実施形態における容器本体４１の左側面４８は、右側面４７と対称的な形状である。
【０１６３】
容器本体４１は、収容する液体の残量を視認するための視認部５０を複数有する。容器本体４１は、その前面４３に４つの視認部５０を有する。そのため、容器本体４１は、４つの第１視認部５１を有する。４つの第１視認部５１は、前面４３において幅方向Ｘに並ぶ。第１２実施形態においては、第２視認部５２を設けてもよいし設けなくともよい。
【０１６４】
第１視認部５１には、それぞれ目盛５７が形成される。これにより、複数の液体の残量を視認できる。
容器本体４１は、収容する液体を識別するための識別マーク８１を有する。識別マーク８１は、視認部５０の数に対応して設けられる。第１２実施形態において、識別マーク８１は、第１視認部５１の上部に位置する。複数の識別マーク８１は、幅方向Ｘにおいて左側面４８側から右側面４７側に向けて順に、例えば「Ｃ」、「Ｍ」、「Ｙ」、「Ｋ」と文字を表示する。「Ｃ」は、シアンを示す。「Ｍ」は、マゼンタを示す。「Ｙ」はイエローを示す。「Ｋ」はブラックを示す。そのため、第１２実施形態の容器本体４１は、シアン、マゼンタ、イエロー、ブラックのインクを収容する。
【０１６５】
識別マーク８１は、前面４３において第１視認部５１が設けられる部分以外に形成されてもよい。識別マーク８１は、上面４５に形成されてもよい。識別マーク８１は、第１視認部５１との対応が分かるように位置していればよい。
【０１６６】
第１２実施形態によれば、（１）及び（２）の効果を得られる。
上記第１実施形態から上記第１２実施形態は、以下に示す変更例のように変更してもよい。また、上記第１実施形態から上記第１２実施形態は任意に組み合わせてもよい。また、上記第１実施形態から上記第１２実施形態に含まれる構成と下記変更例に含まれる構成とを任意に組み合わせてもよいし、下記変更例に含まれる構成同士を任意に組み合わせてもよい。
【０１６７】
・注入部４２は、容器本体４１の前面４３、後面４４などに位置してもよい。注入部４２の位置は任意に変更してよい。
・注入部４２は、円筒状に限らない。注入部４２の形状は任意に変更してよい。
【０１６８】
・容器本体４１は凹部４５ａを備えなくともよい。
・液体収容容器２２は、注入部４２を覆うキャップを備えてもよい。
・開口３０の形状は、視認部５０の形状に応じて任意に変更してよい。
【０１６９】
・記録ヘッド２１は、幅方向Ｘに移動可能とされるシリアルヘッドタイプに限らず、幅方向Ｘに長尺に設けられるラインヘッドタイプでもよい。
・媒体９９は、用紙に限らず、布帛、プラスチックフィルム、金属フィルムなどでもよい。
【０１７０】
・キャリッジ２３は、一の液体を収容可能な液体収容容器２２を複数搭載してもよい。この場合、複数の液体収容容器２２は、それぞれ種別の異なる液体を収容する。
・記録ヘッド２１が噴射する液体はインクに限らず、例えば機能材料の粒子が液体に分散又は混合されてなる液状体などでもよい。例えば、記録ヘッド２１が液晶ディスプレイ、ＥＬ（エレクトロルミネッセンス）ディスプレイ及び面発光ディスプレイの製造などに用いられる電極材または色材（画素材料）などの材料を分散または溶解のかたちで含む液状体を噴射してもよい。
【符号の説明】
【０１７１】
１１…記録装置、１２…筐体、１３…前面、１５…上面、１７…右側面、２１…記録ヘッド、２２…液体収容容器、２３…キャリッジ、２４…排出口、２５…前面カバー、２６…上面カバー、３０…開口、３１…第１開口、３２…第２開口、３３…第３開口、３５…透明部材、４１…容器本体、４２…注入部、４３…前面、４４…後面、４５…上面、４５ａ…凹部、４６…下面、４７…右側面、４８…左側面、４８ａ…開口、４９…封止部材、５０…視認部、５１…第１視認部、５２…第２視認部、５３…視認部、５６…傾斜面、５７…目盛、５７ａ…大目盛、５７ｂ…小目盛、５９…段差面、６１…柱、６２…発光体、６４…仕切板、６６…仕切板、６７…表面、６８…裏面、６９…内周面、７１…仕切板、７３…仕切板、７４…溝、７６…仕切板、７８…目盛帯、８１…識別マーク、９９…媒体、４３１…第１前面、４３２…第２前面、４３３…第３前面、４３４…第４前面、４５１…第１上面、４５２…第２上面、４５３…第３上面、４５４…第４上面、Ｓ…空間、Ｘ…幅方向、Ｙ…奥行方向、Ｚ…鉛直方向。
【図１】
2019142116.tif 000003
【図２】
2019142116.tif 000004
【図３】
2019142116.tif 000005
【図４】
2019142116.tif 000006
【図５】
2019142116.tif 000007
【図６】
2019142116.tif 000008
【図７】
2019142116.tif 000009
【図８】
2019142116.tif 000010
【図９】
2019142116.tif 000011
【図１０】
2019142116.tif 000012
【図１１】
2019142116.tif 000013
【図１２】
2019142116.tif 000014
【図１３】
2019142116.tif 000015
【図１４】
2019142116.tif 000016
【図１５】
2019142116.tif 000017
【図１６】
2019142116.tif 000018
【図１７】
2019142116.tif 000019
【図１８】
2019142116.tif 000020
【図１９】
2019142116.tif 000021
【図２０】
2019142116.tif 000022
【図２１】
2019142116.tif 000023
【図２２】
2019142116.tif 000024
【図２３】
2019142116.tif 000025
【図２４】
2019142116.tif 000026
【図２５】
2019142116.tif 000027
【図２６】
2019142116.tif 000028
【図２７】
2019142116.tif 000029
【図２８】
2019142116.tif 000030
【図２９】
2019142116.tif 000031
【図３０】
2019142116.tif 000032
【図３１】
2019142116.tif 000033
【図３２】
2019142116.tif 000034
【図３３】
2019142116.tif 000035
【図３４】
2019142116.tif 000036
【図３５】
2019142116.tif 000037
【図３６】
2019142116.tif 000038
【図３７】
2019142116.tif 000039
【図３８】
2019142116.tif 000040
【図３９】
2019142116.tif 000041
【図４０】
2019142116.tif 000042
【図４１】
2019142116.tif 000043
【図４２】
2019142116.tif 000044
【図４３】
2019142116.tif 000045
【図４４】
2019142116.tif 000046
【図４５】
2019142116.tif 000047
【図４６】
2019142116.tif 000048
【図４７】
2019142116.tif 000049
【図４８】
2019142116.tif 000050
【図４９】
2019142116.tif 000051
【図５０】
2019142116.tif 000052
【図５１】
2019142116.tif 000053
【図５２】
2019142116.tif 000054
【図５３】
2019142116.tif 000055
【図５４】
2019142116.tif 000056
【図５５】
2019142116.tif 000057
【図５６】
2019142116.tif 000058
【図５７】
2019142116.tif 000059
【図５８】
2019142116.tif 000060
【図５９】
2019142116.tif 000061
【図６０】
2019142116.tif 000062